(57)【要約】【課題】コネクタの各端子に溶接しようとする各ワイヤを整然と排列して安定して位置決めすることができるワイヤ用位置決め構造を提供する。【解決手段】ケーブル２０のワイヤ２１を挟む挟み溝１１が多数凹設してある台座１０を有し、各ワイヤ２１の自在段が台座１０の一側に突出し、コネクタ３０に台座１０を入れると、各ワイヤ２１の自在段の裸線２１１ｂがそれぞれコネクタ３０の端子３１のワイヤ溶接段３１１にラップするようになり、溶接によってワイヤ２１とワイヤ溶接段３１１とをそれぞれ電気的に連接する。【選択図】図５
0003128376.tif 000002
【実用新案登録請求の範囲】
【請求項１】
ケーブルのワイヤを挟む複数の挟み溝が凹設されている台座を備え、
ケーブルのワイヤはそれぞれ前記挟み溝に挟まれ、各ワイヤの自在段は前記台座の一側に突出し、前記台座にコネクタが挿入されたとき、前記各ワイヤの自在段の裸線がそれぞれ前記コネクタの端子のワイヤ溶接段に重なり、溶接されると前記ワイヤと前記ワイヤ溶接段とがそれぞれ電気的に接続されることを特徴とするワイヤ用位置決め構造。
【請求項２】
前記各挟み溝の入れ口は外側へ徐々に拡大する形状を呈することを特徴とする請求項１に記載のワイヤ用位置決め構造。
【請求項３】
前記台座は、互いに反対する両側面に複数の挟み溝が凹設されていることを特徴とする請求項１に記載のワイヤ用位置決め構造。
【請求項４】
前記台座は、一方の側面に複数の挟み溝が凹設されていることを特徴とする請求項１に記載のワイヤ用位置決め構造。
【考案の詳細な説明】
【技術分野】
【０００１】
本考案は、ワイヤ用位置決め構造に係り、特に、コネクタの各端子に溶接しようとする各ワイヤを整然と排列して安定して位置決めすることにより、次の工程をスムーズに実施できるワイヤ用位置決め構造に関するものである。
【背景技術】
【０００２】
目下、電子信号を転送するためのコネクタ（例えば高密度マルチメディア界面（High Definition Multimedia Interface、「ＨＤＭＩ」と略称）タイプのコネクタ、または汎用型シリアルバス（Universal Serial Bus、「ＵＳＢ」と略称）など）は、一つの端子本体を有し、前記端子本体に端子が多数嵌め設けてあり、前記各端子の後段が溶接によってケーブルのワイヤとそれぞれ連接し、上記部材を組立てた後、それらを金属製ハウジングで覆って、前記金属製ハウジングの後段を絶縁層で覆い、コネクタの組立作業が完成する。
【考案の開示】
【考案が解決しようとする課題】
【０００３】
しかしながら、上記のコネクタは、一本のケーブルが１９本のワイヤを有し、ケーブルのもっとも外層の絶縁皮を剥がすと、各ワイヤが極めて混乱し、作業者が各ワイヤの前段の絶縁皮を剥がして裸線を露出した後、各ワイヤの裸線をそれぞれ対応の端子に溶接することが必要であるが、各ワイヤが極めて混乱しているので、各ワイヤを整然と排列することが困難であり、したがって、溶接作業は工数がかなり掛かり、一方、各ワイヤが極めて混乱しているので、溶接作業中に溶接したワイヤを引っ張って切る可能性があり、良品率および品質を向上することができない欠点があった。
【課題を解決するための手段】
【０００４】
上記欠点を解決するためになされた本考案は、ケーブルのワイヤを挟む挟み溝が多数凹設してある台座を有し、各ワイヤの自在段が前記台座の一側に突出し、コネクタに前記台座を入れると、前記各ワイヤの自在段の裸線がそれぞれ前記コネクタの端子のワイヤ溶接段にラップするようになり、溶接によって前記ワイヤと前記ワイヤ溶接段とをそれぞれ電気的に連接することを特徴とするワイヤ用位置決め構造であることを要旨としている。
本考案では、前記各挟み溝の入れ口は外側へ徐々に拡大する形状を呈してもよい。
本考案では、前記台座は、互いに反対する両側面に挟み溝が多数凹設してあってもよい。
本考案では、前記台座は、一側面だけに挟み溝が多数凹設してあってもよい。
【０００５】
（考案の効果）
本考案のワイヤ用位置決め構造によれば、コネクタの各端子に溶接しようとする各ワイヤを整然と排列して安定して位置決めすることができ、これにより、次工程の絶縁皮剥がし工程および溶接工程がスムーズに実施でき、したがって、製品の品質が向上し、作業工数が低減する効果がある。
【考案を実施するための最良の形態】
【０００６】
以下、添付図面を参照して本考案の好適な実施の形態を詳細に説明する。
まず、図１ないし図７を参照する。本考案の一実施例によるワイヤ用位置決め構造は、ケーブル２０のワイヤ２１を挟む挟み溝１１が多数凹設してある台座１０を有し、各ワイヤ２１の自在段２１１が前記台座１０の一側に突出し、且つワイヤ２１の自在段２１１の絶縁皮２１１ａを剥がして裸線２１１ｂを露出する状態で前記台座１０をコネクタ３０に入れると、前記各ワイヤ２１の自在段２１１の裸線２１１ｂがそれぞれ前記コネクタ３０の端子３１のワイヤ溶接段３１１にラップするようになり、溶接によって前記ワイヤ２１と前記ワイヤ溶接段３１１とをそれぞれ電気的に連接する。
【０００７】
また、図１及び図２を参照する。本実施例の台座１０は、絶縁材料で作製されたものであり、ワイヤ２１を案内して前記挟み溝１１にスムーズに入れて前記挟み溝１１に挟まれるようにするために、前記各挟み溝１１の入れ口１１０が外側へ徐々に拡大する形状を呈する。
また、本実施例の台座１０は、互いに反対する両側面に挟み溝１１が多数凹設してあってもいいし、一側面だけに挟み溝１１が多数凹設してあってもいい。
【０００８】
次に、図２を参照して本実施例の組立方法を詳細に説明する。まず、各ワイヤ２１が所定長さに露出するように、ケーブル２０の前段の絶縁皮を剥がして、図３に示すように、各ワイヤ２１の自在段２１１が台座１０の一側面から突出するように、各ワイヤ２１を台座１０の挟み溝１１にそれぞれ入れて、半自動のレーザ切断装置によって台座１０の挟み溝１１から突出した各ワイヤ２１の絶縁皮２１１ａを切断して、人工で切断された前記絶縁皮２１１ａを除去し各ワイヤ２１の裸線２１１ｂを露出して、図４に示すように、台座１０に挟まれた各ワイヤ２１の裸線２１１ｂがそれぞれコネクタ３０の各端子３１のワイヤ溶接段３１１とラップするように、コネクタ３０に前記台座１０を入れて、前記裸線２１１ｂの上をスズ箔でカバーして、半自動半田付け装置を通過すると、図５及び図６に示すように、各ワイヤ２１の裸線２１１ｂが各端子３１のワイヤ溶接段３１１と電気的に連接するようになる。上記の絶縁皮剥がし工程及び半田付け工程は、レーザ切断装置と半自動半田付け装置とによって実施するが、もちろん、別の方法で実施することも可能であり、本実施例は上記の方法に限定されない。
【０００９】
また、本実施例のワイヤ用位置決め構造を使用するコネクタ３０は、図５に示すように、絶縁材料で作製された端子本体３２を有し、前記端子本体３２には二列の端子穴３２１が開設してあり、前記各端子穴３２１に端子３１がそれぞれ嵌め設けてあり、前記二列の端子３１の後端の間に端子載せ台３３が嵌め設けてあり、前記端子載せ台３３には端子３１のワイヤ溶接段３１１を受ける受け穴３３１が多数凹設してあり、ケーブル２０の各ワイヤ２１と、各端子３１のワイヤ溶接段３１１とを溶接した後、図６及び図７に示すように、それらを上下金属製遮蔽ハウジング３４、３５で安定にカバーし、且つ絶縁層３６で前記上下金属製遮蔽ハウジング３４、３５の後段の外縁を覆うと、コネクタ３０の組付作業が完成する。しかし、本実施例の適用可能のコネクタは上記コネクタ３０の仕様に限定されず、例えば、高密度マルチメディア界面（High Definition Multimedia Interface、「ＨＤＭＩ」と略称）タイプのコネクタ、または汎用型シリアルバス（Universal Serial Bus、「ＵＳＢ」と略称）などのコネクタへも適用可能である。
このように、本考案が、特定の例を参照して説明されたが、それらの例は、説明のためだけのものであり、本考案を限定するものではなく、この分野に通常の知識を有する者には、本考案の精神および範囲を逸脱することなく、ここで開示された実施例に変更、追加、または、削除を施してもよいことがわかる。
【図面の簡単な説明】
【００１０】
【図１】本考案の一実施例によるワイヤ用位置決め構造の台座の斜視図である。
【図２】本考案の一実施例によるワイヤ用位置決め構造の台座とケーブルの分解斜視図である。
【図３】本考案の一実施例によるワイヤ用位置決め構造の台座の挟み溝にケーブルの各ワイヤを設置した状態を示す模式図である。
【図４】本考案の一実施例によるワイヤ用位置決め構造の各ワイヤの自在端が裸線になった状態を示す模式図である。
【図５】本考案の一実施例によるワイヤ用位置決め構造とコネクタとの組み立てを示す模式図である。
【図６】本考案の一実施例によるワイヤ用位置決め構造とコネクタとの組み立てを示す模式図である。
【図７】本考案の一実施例によるワイヤ用位置決め構造を使用するコネクタの概観を示す模式図である。
【符号の説明】
【００１１】
１０：台座、１１：挟み溝、１１０：入れ口、２０：ケーブル、２１：ワイヤ、２１１：自在段、２１１ａ：絶縁皮、２１１ｂ：裸線、３０：コネクタ、  ３１：端子、３１１：ワイヤ溶接段、３２：端子本体、３２１：端子穴、３３：端子載せ台、３３１：受け穴、３４：上金属製遮蔽ハウジング、３５：下金属製遮蔽ハウジング、３６：絶縁層
【図１】
0003128376.tif 000003
【図２】
0003128376.tif 000004
【図３】
0003128376.tif 000005
【図４】
0003128376.tif 000006
【図５】
0003128376.tif 000007
【図６】
0003128376.tif 000008
【図７】
0003128376.tif 000009